(57)【要約】【課題】回路遮断器に外部付属の電圧引外し装置を装着する際に生じた取り付け位置のずれを補償して、動作時に回路遮断器を的確にトリップできるようにする。【解決手段】回路遮断器の外部付属装置として、回路遮断器のケース側面に装着して使用する外部付属用電圧引外し装置で、該装置が内蔵のアクチュエータに連動してストローク動作するスライダ５にトリップレバー９を設けた構成になり、遮断器に装着した状態でトリップレバー９を回路遮断器のトリップボタンに連係し、引外動作時にトリップレバーがトリップボタンを押し込んで回路遮断器をトリップさせるようにしたものにおいて、前記トリップレバー９を独立部品とし、かつ該レバーをスライダに開口したガイド穴５ｂの中に遊嵌してストローク方向に遊び代を設定した上で、スライダとの間に圧縮コイルバネ（補償バネ部材）１０を介挿して下方に押圧付勢する。これにより、回路遮断器に装着した状態での取り付け位置のずれを吸収して、トリップレバーとトリップボタンとの間を確実に連係させて回路遮断器をトリップすることができる。【選択図】      図１
2005166275.tif 000002
【特許請求の範囲】
【請求項１】
回路遮断器の外部付属装置として、回路遮断器の遮断器ケースの側面に装着して使用する外部付属用電圧引外し装置であり、該装置が内蔵のアクチュエータに連動してストローク動作するスライダにトリップレバーを設けた構成になり、遮断器ケースに装着した状態で前記トリップレバーを回路遮断器のトリップボタンに連係させ、引外し装置の動作時に前記トリップレバーがトリップボタンを押し込んで回路遮断器をトリップさせるようにしたものにおいて、
前記トリップレバーをスライダに対しそのストローク方向に遊び代を設定して案内支持した上で、スライダとの間に補償バネ部材を介挿してトリップレバーを回路遮断器のトリップボタンに向けて付勢するようにしたことを特徴とする回路遮断器の外部付属用電圧引外し装置。
【請求項２】
請求項１に記載の外部付属用電圧引外し装置において、スライダにそのストローク方向に沿って開口したトリップレバーのガイド穴を形成し、該ガイド穴にトリップレバーを遊嵌してスライド可能に案内支持した上で、トリップレバーとスライダとの間に補償バネ部材としての圧縮コイルバネを介挿したことを特徴とする回路遮断器の外部付属用電圧引外し装置。
【発明の詳細な説明】
【技術分野】
【０００１】
本発明は、配線用遮断器，漏電遮断器を対象とした回路遮断器の外部付属装置（オプション品）として、遮断器ケースに装着して使用する電圧引外し装置（電圧引外し装置，あるいは不足電圧引外し装置）の構成に関する。
【背景技術】
【０００２】
周知のように、頭記の配線用遮断器，漏電遮断器には、補助スイッチ，警報スイッチ，電圧引外し装置，不足電圧引外し装置などの各種付属装置（オプション品）が用意されており、その付属装置は遮断器ケース内に収納して使用する内部付属装置と、遮断器ケースの外部に取り付けて使用する外部付属装置（例えば、特許文献１参照）のタイプに大別される。
また、外部付属装置として回路遮断器に装着して使用する電圧引外し装置（外部から電気的信号で回路遮断器をトリップさせる引外し装置），あるいは不足電圧引外し装置（電源電圧が規定値を下回った場合に回路遮断器を強制的にトリップさせる引外し装置）に関して、これらの外部付属装置（前記の「電圧引外し装置」および「不足電圧引外し装置」を総称して、本発明では「外部付属用電圧引外し装置」と呼称する）のトリップレバーを回路遮断器に設けたトリップボタンに連係させ、該引外し装置の動作時にトリップレバーが前記のトリップボタンを押し込んで回路遮断器をトリップ動作させて主回路接点を開極するようにした構成のものが本発明と同一出願人より特願２００３−３９４２９３号として先に提案されている。
【０００３】
次に、前記提案を基にした不足電圧引外し装置，およびその従来構造を図３〜図６で説明する。各図において、１は回路遮断器（配線用遮断器あるいは漏電遮断器）、２は回路遮断器１の外部付属装置として遮断器ケース１ａの側面に装着して使用する不足電圧引外し装置である。ここで、不足電圧引外し装置２は、遮断器ケース１の側面に取り付けるベース３ａとカバー３ｂからなる二つ割り構造のケース３の内部に、電磁ソレノイド（アクチュエータ）４と、該電磁ソレノイド４のアーマチュア４ａに連係させて上下方向へスライド可能に案内支持したスライダ５と、該スライダ５を下方に向けて押圧付勢する駆動バネ（圧縮コイルバネ）６と、制御回路のプリント板７を内蔵した構成になり、前記スライダ５に一体形成した突起状のトリップレバー５ａがベース３ａの壁面に開口した縦長の窓穴３ａ-1を通して側方に突き出した構成になる。また、３ａ-2はベース３ａの外面側に突設した係合突起であり、この係合突起３ａ-2を回路遮断器１のケース側面に形成した係合溝（図示せず）に上方から嵌入することで不足電圧引外し装置２を回路遮断器１に装着するようにしている。なお、図中の３ａ-3は不足電圧引外し装置２の端子台、８はケース３の締結ねじである。
【０００４】
一方、回路遮断器１の遮断器ケース１（図３(a) 参照）には、不足電圧引外し装置２の取付面側にトリップボタン１ｂを復帰バネと一緒に組み付けて遮断器ケース１に組み込んだ開閉機構のラッチに連係させており、このトリップボタン１ｂを押し込むことによりラッチを釈放して主回路接点を開極動作させるようにしている。また、このトリップボタン１ｂには側方に突き出した操作突起部１ｂ-1（図３(b) 参照）を備えており、この操作突起部１ｂ-1を遮断器ケース１の側面に開口した窓穴（図示せず）に臨ませて不足電圧引外し装置２のベース３ａから側方に突き出したトリップレバー５ａ（図４参照）と連係するようにしている。なお、１ｃは開閉操作ハンドル、１ｄは主回路端子である。
そして、図３(a) のように不足電圧引外し装置２を回路遮断器１に装着した実使用状態で、通常は電源電圧で励磁された電磁ソレノイド４の吸引力によりアーマチュア４ａが駆動バネ６に抗してスライダ５を上方に引き上げた状態に保持している。この状態ではスライダ５のトリップレバー５ａが回路遮断器１のトリップボタン１ｂから離れるよう上方に後退している。一方、何らかの原因で電源電圧が規定値を下回った状態になると、電磁ソレノイド４の吸引力が低下し、これによりスライダ５は駆動バネ６のバネ力で下方に押し下げられ、同時にトリップレバー５ａが回路遮断器１のトリップボタン１ｂを下方に押し込む。その結果、回路遮断器１がトリップ動作して主回路接点が開極することになる。
【０００５】
なお、電圧引外し装置（外部付属装置）は、その構成，動作が前記した不足電圧引外し装置２と逆であり、図５の不足電圧引外し装置２に示した内蔵の電磁ソレノイド４，および駆動バネ６の向きを上下逆向きにしてケース３に組み込まれており、駆動バネ６はスライダ５を押し上げ、電磁ソレノイド４を励磁した際の吸引力でスライダ５を押し下げるようにしている。そして、常時（電磁ソレノイドが非通電）は駆動バネ６がスライダ５を上方に押し上げてトリップレバー５ａを回路遮断器のトリップボタン１ｂから上方に後退させた状態に保持している。一方、電圧引外し装置に外部からトリップ指令（電気的な信号）を与えて電磁ソレノイド４を励磁すると、その吸引力によりアーマチュア４ａが駆動バネ６に抗してスライダ５を下方に押し下げ、そのトリップレバー５ａーが回路遮断器のトリップボタン１ｂを押し込んで主回路接点を強制的に開極動作させる。
【特許文献１】特開２００１−１６０３５０号公報
【発明の開示】
【発明が解決しようとする課題】
【０００６】
ところで、前記した従来構造の外部付属用電圧引外し装置（電圧引外し装置，あるいは不足電圧引外し装置）は、動作の信頼性面で次記のような問題点がある。
すなわち、図４に示した不足電圧引外し装置２を、図３(a) で表すように回路遮断器１の遮断器ケース１ａに装着する際には、先述のように遮断器ケース１ａ（図３参照）の側面に形成した係合溝に引外し装置２の係合突起３ａ-2（図４参照）を上方から嵌入して取り付けるようにしているが、その場合に係合突起３ａ-2の押し込みが中途半端であると、回路遮断器１の遮断器ケース１ａに対して不足電圧引外し装置２が相対的に定位置より多少上方に浮き上がって装着され、この状態ではトリップレバー５ａが回路遮断器のトリップボタン１ｂに対して上方に離間して相対位置するようになる。
しかも、この装着状態のまま使用すると、不足電圧引外し装置２の動作時にトリップレバー５ａがトリップボタン１ｂを押し込むストロークに不足が生じ、このために回路遮断器が正しくトリップ動作しなくなることがある。しかも、回路遮断器への外部付属装置の装着はユーザーサイドで行う場合が多いことから、このままでは装着位置の不適正が原因で，回路遮断器が正しくトリップ動作しない不具合を完全に防ぐことが困難である。
【０００７】
本発明は上記の点に鑑みなされたものであり、回路遮断器に装着した外部付属用電圧引外し装置の取り付け位置に多少のずれがあっても、この相対的な位置ずれを吸収して電圧引外し装置の動作時に回路遮断器を的確にトリップ動作できるよう改良して信頼性の向上を図った回路遮断器の外部付属用電圧引外し装置を提供することを目的とする。
【課題を解決するための手段】
【０００８】
上記目的を達成するために、本発明によれば、回路遮断器の外部付属装置として回路遮断器の遮断器ケースの側面に装着して使用する外部付属用電圧引外し装置で、該引外し装置が内蔵のアクチュエータに連動してストローク動作するスライダにトリップレバーを設けた構成になり、遮断器ケースに装着した状態で前記トリップレバーを回路遮断器のトリップボタンに連係させ、引外し装置の動作時に前記トリップレバーがトリップボタンを押し込んで回路遮断器をトリップさせるようにしたものにおいて、
前記トリップレバーを独立部品とし、かつ該トリップレバーをスライダに対してそのストローク方向に遊び代を設定して案内支持した上で、スライダとの間に補償バネ部材を介挿し、トリップレバーを回路遮断器のトリップボタンに向けて押圧付勢するように構成する（請求項１）。
【０００９】
また、その具体的な態様として、前記スライダにはそのストローク方向に沿って開口したトリップレバーのガイド穴を形成し、該ガイド穴にトリップレバーの基部を嵌入してスライド可能に案内支持した上で、トリップレバーとスライダとの間に補償バネ部材としての圧縮コイルバネを介挿してトリップレバーを回路遮断器のトリップボタンに向け押圧付勢させるような構造とする（請求項２）。
【発明の効果】
【００１０】
上記の構成によれば、回路遮断器に装着した外部付属用電圧引外し装置の取り付け位置に多少のずれ（例えば、定位置から多少浮き上がた位置に装着されている）があっても、トリップレバーとスライダとの間に設定したストローク方向に遊び代，および補償バネ部材（圧縮コイルバネ）によるトリップレバーの押圧付勢により、前記の相対的な位置ずれを吸収してトリップレバーを回路遮断器のトリップボタンに正しく連係させ、電圧引外し装置の動作時にトリップレバーが回路遮断器のトリップボタンを確実に押し込んで回路遮断器を的確にトリップ動作させることができて実使用，動作の信頼性が向上する。
【発明を実施するための最良の形態】
【００１１】
以下、本発明の実施の形態を図１，図２に示す実施例に基づいて説明する。なお、実施例の図中で図３〜図６に対応する部材には同じ符号を付してその説明は省略する。
すなわち、図示実施例の不足電圧引外し装置２においては、スライダ５に設けたトリップレバー９をスライダ５と分離した独立部品とした上で（図５に示した従来装置ではトリップレバー５ａがスライダ５に一体形成されている）、該トリップレバー９の基部をスライダ５に開口したストローク方向のガイド穴５ｂに嵌入して上下可動に案内支持（トリップレバー９の左右側面に形成した２条の支持突起でスライダ５を前後から挟むようにする）し、この支持構造でトリップレバー９とスライダ５との間にストローク方向の遊び代を設定している。さらに、トリップレバー９の上面とスライダ５との間には補償バネ部材として圧縮コイルバネ１０を介挿し、トリップレバー９をガイド穴５ｂに沿って下方に押圧付勢するようにしている。
【００１２】
なお、スライダ５は従来構造と同様にケースのベース３ａに対して上下方向（ストローク方向）にスライド可能に案内支持し、この位置でスライダ５をベース側に設けたバネ受け座３ａ-4の間に介挿した駆動バネ（圧縮コイルバネ）６で下方に押圧付勢している。また、この組み立て位置でスライダ５から背後に突き出した操作アーム５ｃがケース内に組み込んだアクチュエータ（図５に示した電磁ソレノイド４のアーマチュア４ａ）に連係している。
上記構成の不足電圧引外し装置２は、従来装置と同様にそのケースのベース３ａの外面に形成した係合突起３ａ-2（図２参照）を回路遮断器１の遮断器ケース１ａ（図３(a) 参照）に形成した係合溝に嵌入して装着し、この装着位置でベース３ａから側方に突き出した前記トリップレバー９を回路遮断器１に装備したトリップボタン１ｂ（図３(b)参照）の操作突起部１ｂ-1に連係させる。
【００１３】
この装着状態で、回路遮断器１と不足電圧引外し装置２との間に多少の相対的なずれ（例えば、不足電圧引外し装置２の装着位置が定位置から多少浮き上がっている）があっても、図示実施例の構成では、前記のようにトリップレバー９はスライダ５のガイド穴５ｂで遊び代を設定した上で、さらにトリップレバー９を圧縮コイルバネ１０で下方に押圧付勢しているので、前記の相対的な位置のずれを吸収してトリップレバー９を回路遮断器のトリップボタン１ｂと連係させた状態に保持し、不足電圧引外し装置２の動作時にはトリップレバー９がトリップボタン１ｂをストローク不足なしに押し込んで回路遮断器を確実にトリップさせることができる。なお、この場合に、スライダ５の上下可動範囲を回路遮断器のトリップボタン１ｂの動作ストロークよりも多少大き目に設定しておき、そのオーバーストローク分を前記したトリップレバー／スライダ間の遊び代，および圧縮コイルバネ１０により吸収させるようにすることで、動作時にトリップレバー９からトリップボタン１ｂに過大な荷重が加わってトリップボタンが折損するのを回避できる。
【００１４】
なお、上記は不足電圧引外し装置２について述べたが、外部からの指令で回路遮断器をトリップさせる電圧引外し装置についても、図示実施例と同様なトリップレバー９の支持構造を採用して前記と同様な効果を奏することができる。
【図面の簡単な説明】
【００１５】
【図１】不足電圧引外し装置を例にした本発明の実施例による外部付属用電圧引外し装置の要部構成図で、(a) はケースのベースに組み込んだスライダおよびトリップレバーの組立構造を表す内面図、(b) は(a) の矢視Ｘ−Ｘ断面図
【図２】図１の分解斜視図
【図３】図３の(a) は回路遮断器に外部付属用電圧引外し装置を装着した状態の外観斜視図、(b) は回路遮断器に装備したトリップボタンの外形斜視図
【図４】図３(a) における外部付属用電圧引外し装置を装着面側から見た外観斜視図
【図５】不足電圧引外し装置を例にした従来における外部付属用電圧引外し装置の組立構造を表す分解斜視図
【図６】図５におけるケースのベース内に組み込んだトリップレバー付きスライダの組立構造を表す内面図
【符号の説明】
【００１６】
１    回路遮断器
１ａ  遮断器ケース
１ｂ  トリップボタン
２    不足電圧引外し装置（外部付属用電圧引外し装置）
３    ケース
３ａ  ベース
４    電磁ソレノイド（アクチュエータ）
５    スライダ
５ｂ  トリップレバーのガイド穴
６    駆動バネ
９    トリップレバー
１０    圧縮コイルバネ（補償バネ部材）
【図１】
2005166275.tif 000003
【図２】
2005166275.tif 000004
【図３】
2005166275.tif 000005
【図４】
2005166275.tif 000006
【図５】
2005166275.tif 000007
【図６】
2005166275.tif 000008